(57)【特許請求の範囲】
【請求項１】
危険物を床を有する格納容器から格納容器の床のポートを通して貯蔵容器に安全に容易に移送するための密封システムにおいて、
Ａ）底部端と内周を有するポートであって危険物格納容器の床に形成された円形のポートを取り囲み且つこれを構成する垂直方向に垂下したフランジリング即ち囲壁リングと、
Ｂ）前記ポートの周囲と密封係合するように位置決めできる、前記格納容器内の枢動自在に支持された密封カバーと、
Ｃ）開口頂部と閉鎖底部を有し前記ポートの下で前記開口頂部を正確に軸線方向に整合した状態で位置決めできる貯蔵容器と、
Ｄ）前記貯蔵容器を前記ポートに向かって上方に及び前記ポートから遠ざかるように下方に垂直方向に移動するように支持するエレベータ手段と、
Ｅ）内表面と外表面と頂部端と底部端とを有し、前記フランジリングに向かって上方に延び且つ前記フランジリングの内側面内に緩く係合できる、前記貯蔵容器の開放した頂部上に支持できる剛性のプッシャリングと、
Ｆ）上部端と底部端とを有し、前記貯蔵容器を上昇させたときに前記フランジリングの内周と漏れ止め密封関係で係合でき、前記プッシャリングの頂部端に配設された、使い捨ての半剛性の合成樹脂製のプラスチック袋を支持する密封リングと、
Ｇ）前記貯蔵容器内に閉鎖された底部を位置させ頂部を開口した可撓性の細長い合成樹脂製のプラスチック袋であって、前記袋の開口した頂部が前記プッシャリングを通って緩く延び且つ前記密封リングと漏れ止め密封係合した、プラスチック袋と、
Ｈ）危険物が内部に移送された後、前記袋の頂部を漏れ止め密封状態で閉鎖するための手段と、
を備えた密封システム。
【請求項２】
前記貯蔵容器内の前記袋の一部に半剛性の円筒形プラスチックライナが入っている、請求項１に記載の移送システム。
【請求項３】
Ａ）前記袋を支持する前記密封リングの各々がその外周に少なくとも一つのチャンネルを有し、
Ｂ）前記プラスチック袋の各々の開放した頂端が前記密封リングを通って延び且つ前記密封リングの頂部に折り返してあり、
Ｃ）前記フランジリングの内側面と漏れ止め密封関係で係合できる圧縮性のＯ−リングが袋上に装着してあり、前記チャンネルに着座している、請求項１に記載の移送システム。
【請求項４】
前記エレベータ手段は、水平なエレベータプラットホームを有するシザース型リフトカートである、請求項１に記載の移送システム。
【請求項５】
前記エレベータプラットホーム上にはターンテーブルが支持されており、前記貯蔵容器が前記ターンテーブル上に支持されている、請求項４に記載の移送システム。
【請求項６】
剛性のリフトカート整合フレームが前記格納容器の前記床の前記ポートの下に設けられている、請求項４に記載の移送システム。
【請求項７】
前記整合フレームは、
Ａ）矩形のカート受け入れ領域を構成する少なくとも四つの垂直脚部を有し、
Ｂ）前記フレームの開放した前部を構成する前記脚部のうちの二つの脚部は、リフトカートの側部を摺動嵌めで受け入れるように間隔が隔てられており、
Ｃ）前記フレームの閉鎖した後部を構成する前記脚部のうちの二つの脚部間には水平整合プレートが固定されており、水平方向に間隔が隔てられ且つ前方に突出した一対の耳部が設けられ、これらの耳部は、前記リフトカートの前端と係合できる、請求項６に記載の移送システム。
【請求項８】
Ａ）前記密封カバーには、前記円形のポートの周囲と漏れ止め密封関係で係合できる周囲ガスケットが設けられ、
Ｂ）前記密封カバーは、遠隔制御式駆動装置に他端が作動的に連結された少なくとも一つのアームの一端によって枢動自在に支持されている、請求項１に記載の移送システム。
【請求項９】
フランジを備えたフィラーリングが前記格納容器の床によって支持されており、密封リングを通って延びている、請求項１に記載の移送システム。
【請求項１０】
Ａ）前記フィラーリングは、遠隔制御式駆動装置に他端が作動的に連結されたアームの一端に枢動自在に支持されている、請求項９に記載の移送システム。
【請求項１１】
Ａ）前記袋支持密封リングの各々の下縁部に環状チャンネルが設けられ、
Ｂ）前記密封リングの前記チャンネルと係合できる垂直方向に延びるリップが前記プッシャリングの上縁部に設けられ、
Ｃ）前記貯蔵容器の頂部の周囲と係合できる下方に延びる環状リップが前記プッシャリングに設けられ、
Ｄ）前記プッシャリングの外周から水平方向外方に突出した環状ストップフランジが前記プッシャリングに設けられ、前記ストップは、前記プッシャリングの両端の中間に配置されており、前記プッシャリング及び前記貯蔵容器の上方への移動を制限するため、ポートフランジリングの底端部と係合でき、
Ｅ）前記ストップフランジの記上面には弾性密封リングが設けられている、請求項１に記載の移送システム。
【請求項１２】
前記貯蔵容器は、標準の２０８．１９２リットル（５５ガロン）の鋼製ドラムである、請求項１に記載の移送システム。
【請求項１３】
危険物を格納容器の床のポートを通して貯蔵容器に安全に容易に移送するための密封システムにおいて、
Ａ）危険物格納容器の床の円形のポートを取り囲み且つこれを構成する垂直方向に垂下したフランジリング即ち囲壁リングと、
Ｂ）前記ポートの周囲と密封係合するように位置決めできる、前記格納容器内の枢動自在に支持された密封カバーであって、
１）前記密封カバーには、前記円形のポートの周囲と漏れ止め密封関係で係合できる周囲ガスケットが設けられ、
２）前記密封カバーは、遠隔制御式モータ駆動装置に他端が作動的に連結された少なくとも一つのアームの一端によって枢動自在に支持されている、密封カバーと、
Ｃ）前記ポートの下に正確に軸線方向に整合した状態で位置決めできる頂部の開放した標準の２０８．１９２リットル（５５ガロン）の鋼製ドラムである貯蔵容器と、
Ｄ）前記貯蔵容器を前記ポートに向かって及び前記ポートから遠ざかるように垂直方向に移動するように支持する水平なエレベータプラットホームを有するシザース型リフトカートと、
Ｅ）前記貯蔵容器の開放した頂部上に支持でき、前記フランジリングに向かって上方に延び、外面が前記フランジリングの内側面内に緩く嵌合する剛性のプッシャリングと、
Ｆ）前記プッシャリングの両端の中間で前記プッシャリングの外周から水平方向外方に突出し、前記ポートフランジリングの底端と係合でき、上面に弾性密封リングが設けられた環状ストップフランジと、
Ｇ）前記貯蔵容器を上昇させたときに前記フランジリングの内周と漏れ止め密封関係で係合できる、前記プッシャリングの上端に設けられた、使い捨ての半剛性の合成樹脂製のプラスチック袋を支持する密封リングと、
Ｈ）頂部の開放した可撓性の細長い合成樹脂製のプラスチック袋であって、一部が前記貯蔵容器内に位置決めされ、前記袋の開放した頂部が前記プッシャリングを通って緩く延び、前記密封リングを通過し、前記密封リングの頂部上を通って前記密封リングの外周の少なくとも一つのチャンネルと密封係合し、前記フランジリングの内側面と漏れ止め密封関係で係合できる圧縮性のＯ−リングで前記チャンネル内に固定されたプラスチック袋と、
Ｉ）前記貯蔵ドラム内の前記袋内の半剛性の円筒形プラスチックライナと、
Ｊ）危険物を貯蔵容器内に移送した後、前記袋の頂部を捩じることによって漏れ止め密封状態で閉鎖するために前記貯蔵容器を回転させるため、前記貯蔵容器を支持する、前記エレベータプラットホーム上に支持されたターンテーブルとを有する、密封システム。
【請求項１４】
剛性のリフトカート整合フレームが前記格納容器の前記床の前記ポートの下に設けられており、前記整合フレームは、
Ａ）矩形のカート受け入れ領域を構成する少なくとも四つの垂直脚部を有し、
Ｂ）前記フレームの開放した前部を構成する前記脚部のうちの二つの脚部は、リフトカートの側部を摺動嵌めで受け入れるように間隔が隔てられており、
Ｃ）前記フレームの閉鎖した後部を構成する前記脚部のうちの二つの脚部間には水平整合プレートが固定されており、水平方向に間隔が隔てられ且つ前方に突出した一対の耳部が設けられ、これらの耳部は、前記リフトカートの前端と係合できる、請求項１３に記載の移送システム。
【請求項１５】
フランジを備えたフィラーリングが前記格納容器の床によって支持されており且つ密封リングを通って延びており、前記フィラーリングは、遠隔制御式モータ駆動装置に他端が作動的に連結されたアームの一端に枢動自在に支持されている、請求項１３に記載の移送システム。
【請求項１６】
Ａ）前記袋支持密封リングの各々の下縁部に環状チャンネルが設けられ、
Ｂ）前記密封リングの前記チャンネルと係合できる垂直方向に延びるリップが前記プッシャリングの上縁部に設けられ、
Ｃ）前記貯蔵容器の頂部の周囲と係合できる下方に延びる環状リップが前記プッシャリングに設けられている、請求項１３に記載の移送システム。
【請求項１７】
危険物を格納容器の床のポートを通して貯蔵容器に安全に容易に移送するためのシステムにおいて、
Ａ）危険物が入った格納容器であって、垂直方向に垂下したフランジリング即ち囲壁リングによって構成された円形のポートがその床に設けられ、前記ポートは、前記ポートの周囲と密封係合する前記格納容器内の枢動自在に支持された密封カバーによって閉鎖され、使い捨ての半剛性の合成樹脂製のプラスチック袋を支持する密封リングが前記フランジの内周と漏れ止め密封関係にあり、第１の合成樹脂製プラスチック袋の捩じられて閉鎖された端部残余部がこれから支持されている格納容器を提供し、
Ｂ）前記ポートの下で正確に軸線方向に整合した状態でエレベータ手段上に支持された頂部の開放した貯蔵容器であって、その開放した頂部上に剛性のプッシャリングが支持されており、このプッシャリングは前記フランジリングに向かって上方に延び、前記プッシャリングの外側面は前記フランジリングの内側面内に緩く嵌合し、第２の使い捨ての半剛性の合成樹脂製のプラスチック袋を支持する密封リングが前記プッシャリングの頂部上に支持されており、細長い合成樹脂製の第２プラスチック袋の開放した頂部は、前記第２密封リングと漏れ止め密封関係になっており、前記袋の底が前記容器の底まで延びている、貯蔵容器を提供し、
Ｃ）前記密封カバーを外すことによって前記ポートを開放し、
Ｄ）前記貯蔵容器、プッシャリング、及び第２の袋支持密封リングを持ち上げ、これによって、前記第２密封リングが、前記フランジと漏れ止め密封関係にある第１密封リングを移動させてこれと入れ替わり、
Ｅ）危険物を前記格納容器から前記ポートを通して前記第２プラスチック袋に移送し、
Ｆ）前記ポートを前記密封カバーで閉鎖し、
Ｇ）容器及びプッシャリングを前記第２密封リングから下降させ、
Ｈ）前記容器及びプッシャリングを回転させて前記細長い第２プラスチック袋の最上端部を前記第２密封リングとプッシャリングとの間で捩じり、漏れ止め捩じり閉鎖体を形成し、
Ｉ）前記捩じり閉鎖体を固定し、その中間点で切断し、
Ｊ）プッシャリングを容器から外し、前記捩じり閉鎖体の下部分を貯蔵容器内に押し込み、容器を閉鎖する、移送システム。
【請求項１８】
前記貯蔵容器内の前記袋の一部に半剛性円筒形プラスチックライナが入っている、請求項１７に記載の移送システム。
【請求項１９】
前記プッシャリングに設けられた外方に突出した水平なフランジが前記ポートフランジリングの下縁と密封係合する、請求項１７に記載の移送システム。
【請求項２０】
前記捩じり閉鎖体が感圧接着剤テープを巻き付けることによって固定されている、請求項１７に記載の移送システム。
【請求項２１】
危険物を床を有する格納容器から貯蔵容器へ安全に移送するための密封システムにおいて、
Ａ）危険物格納容器の床に設けられ、内周部を有する円形のポートと、
Ｂ）前記ポートの内周と密封係合するように位置決めできる、前記格納容器内に枢動自在に支持された密封カバーと、
Ｃ）前記格納容器の床から下方に延出し、内周を有するとともに前記ポートを取り囲む円形のフランジリングと、
Ｄ）上部開口を前記ポートの下でその軸線に正確に位置合わせできる有底で上部開口を有する貯蔵容器と、
Ｅ）前記貯蔵容器を支持するとともに前記ポートに対して上下垂直方向に離接するエレベータ手段と、
Ｆ）内周面及び外面と上端縁及び下端縁とを有し、前記貯蔵容器の上部開口に支持可能になされ、その上端縁が前記フランジリング向かって上方に延出し、その外面が前記フランジリングの内周面と係合可能になされ、前記ポートの内周と漏れ止め密封係合できる剛性リングと、
Ｇ）前記貯蔵容器の上端を、危険物輸送後、漏れ止め密封状態で閉鎖するカバー手段と、
を備えた密封システム。
【請求項２２】
前記エレベータ手段は、水平なエレベータプラットホームを有するシザーズ型リフトカートである、請求項２１に記載の移送システム。
【請求項２３】
剛性のリフトカート整合フレームが前記格納容器の前記床の前記ポートの下に設けられている、請求項２２に記載の移送システム。
【請求項２４】
Ａ）前記密封カバーには、前記円形のポートの周囲に漏れ止め密封関係で係合できる周囲ガスケットが設けられ、Ｂ）前記密封カバーは、他端が遠隔作動駆動装置に動作接続された少なくとも一つのアームの一端によって軸支されている、請求項２１に記載の移送システム。
【請求項２５】
フランジを備えたフィラーリングは、前記格納容器の床によって支持されて前記円形のポートを通って延在し、このフィラーリングは、他端が遠隔作動駆動装置に動作接続されたアームの一端によって軸支されている、請求項２１に記載の移送システム。
【発明の詳細な説明】
【０００１】
【発明の属する技術分野】
本発明は、危険な放射性物質、化学物質、生物学的物質又は他の危険物を、永久貯蔵領域に移送するための貯蔵容器に、格納容器の床のポートを通して安全に容易に移送するための密封システムに関する。多年に亘り、数千トンの低レベル放射性物質及び多くの場合組成のわからない他の危険な廃棄物が一時貯蔵施設に蓄積されている。現在では、この危険物を検査し分類し、長期に亘って安全に貯蔵するために再包装し、再包装した容器の外側面の汚染が起こらないようにし、作業員が危険な環境に露呈されないようにする必要があるとの命令がなされている。本発明は、こうした結果を達成することを目的とする。
【０００２】
【従来の技術】
カザリスの米国特許第３，２８９，６９８号には、二つの環境の間で一方が他方によって汚染されることなく漏れ止め連結を行うための一つの手段が開示されている。
【０００３】
アイザートの米国特許第４，０１０，５８８号及び米国特許第４，１４１，６０９号には、容器の内部を外側の大気に露呈したり外側の大気を容器の内部に露呈したりすることなくグローブボックスのような密封容器に近づくためのシステムが開示されている。
【０００４】
危険な廃棄物を安全に移送するための商業的に入手できる一つのシステムは、イリノイ州６０１９１のウッドデールのラドウェイスト・コンディショニング社から入手できる二重蓋システムである。
【０００５】
【発明が解決しようとする課題】
本発明の目的は、危険な放射性物質、化学物質、生物学的物質又は他の危険物を、永久貯蔵領域に移送するための貯蔵容器に格納容器の床のポートを通して安全に容易に移送するための密封システムを提供することである。
【０００６】
【課題を解決するための手段】
概括的に述べると、格納容器の床に設けられたポートを通して危険物を貯蔵容器に容易に安全に移送するための本発明による密封システムは、危険物格納容器の床に設けられたポートを取り囲み且つこれを構成する垂直方向に垂下した囲壁フランジと、ポートの周囲と密封係合するように位置決めできる格納容器内の密封カバーとを有する。危険物を受入れるための頂部の開放した貯蔵容器は、格納容器のポートの下で軸線方向に正確に整合した状態で位置決めできる。貯蔵容器をポートに向かって及びポートから遠ざかるように垂直方向に移動するように支持するためのエレベータ手段が設けられている。使い捨ての半剛性の合成樹脂製の袋を支持するプラスチック製の密封リングが、貯蔵容器を持ち上げたときにポートを取り囲むフランジリングの内周と漏れ止め密封関係で係合するように貯蔵容器の頂部に設けられている。貯蔵容器の開放した頂部上に支持できるように相補的剛性プッシャリングが設けられており、このプッシャリングは、フランジリングに向かって上方に延び且つこのフランジリング内に緩く係合できる。頂部の開放した可撓性の合成樹脂製の細長いプラスチック袋の閉鎖端が貯蔵容器内に部分的に位置決めされており、この袋の開放した頂端はプッシャリングを通って緩く延び、袋支持密封リングと漏れ止め密封係合している。袋を廃棄物で充填した後、密封リングとプッシャリングとの間を延びるプラスチック袋の開放した頂端部を漏れ止め密封状態に閉鎖するための手段が設けられている。次いで、袋のこの密封された端部を、密封袋支持リングから切断し、貯蔵容器内に閉じ込める。貯蔵容器の蓋を再び配置し、容器を長期間に亘って安全に貯蔵できる施設に移動させる。
【０００７】
本発明は、対応する部品に同じ参照番号を附した添付図面に示してある。
【０００８】
【発明の実施の形態】
次に、添付図面のうち特に図１を参照すると、この図には危険物を格納容器即ちセルから安全に移送できる構造が示してある。格納容器は図示してないが、水平なセルプレート１０の形態の床部分を有する。格納容器は、グローブボックスから、保護衣料を着用した人々が作業を行うことのできる室まで様々なものがある。セルプレート１０は円形のポート開口部１１を有し、この開口部は、垂直方向に垂下したフランジ即ち囲壁リング１２によって取り囲まれている。ポート１１の下には、ベースプレート１６に溶接等でしっかりと固定された四つのコーナーポスト即ち脚部１５を持つ剛性の矩形フレーム１４が設けられている。脚部１５の上端は、セルプレート１０の下面に溶接等で固定されている。
【０００９】
フレーム１４は、標準の２０８．１９２リットル（５５ガロン）のドラム１７のような貯蔵容器がポートと軸線方向に整合した状態で正確に位置決めされるように、ポート１１に対して正確に位置決めされている。ドラム１７は、レイジースーザン型ターンテーブル１８上に支持されており、このターンテーブルは、車輪を備えた可動式シザース型リフトトラック即ちリフトカート２０のエレベータプラットホーム１９上に支持されている。リフトカート２０の一端には、カートの取扱いを容易にするため、ハンドル２１が設けられている。エレベータの作動は、機械式、油圧式、又は電気式で行われる。
【００１０】
リフトカートを正確に整合させるため、フレーム１４の背部を構成する対をなした脚部１５に整合プレート２２がベース１６から間隔を隔てられた状態で設けられている。整合プレート２２の内側面に設けられた、水平方向に間隔を隔てられ且つ前方に突出した一対の垂直な耳部２４は、カートが整合プレートに当たって停止するときにこれを正確に位置決めするように、リフトカート２０の前端を支持する。脚部１５は、動力ユニット２６を支持するリフトカート２０のプラットホーム２５の端部が脚部間に摺動嵌めで受け入れられるように間隔を隔てられている。好ましくは、ベース１６には、リフトカートのベース上への及びベースからの移動を容易にするため、面取り傾斜部２８が設けられている。
【００１１】
ポート１１には、格納容器内の密封カバー即ち扉２９が設けられており、この密封カバーは、遠隔制御式密封カバー駆動機構３１に連結された一対のアーム３０によって枢動自在に支持されている。駆動機構３１は、セルプレート１０に漏れ止め密封関係で支持された電気式、空気圧式、又は油圧式の駆動モータである。密封カバー２９には、カバーがその下閉鎖位置にあるときにポート１１の周囲と係合する環状周囲密封リング即ちガスケット３２が設けられている。
【００１２】
第１の即ち前の半剛性合成樹脂製の使い捨てプラスチック袋支持リング３４が、ポート１１を取り囲む囲壁リング即ちフランジ１２の内面とその外周が漏れ止め密封摩擦係合した状態で示してある。図２で最もよくわかるように、リング３４には、弾性的に圧縮できる天然ゴム製の又は合成ゴム製のＯ−リング３５を受け入れるようになった外周チャンネル即ち溝が設けられている。リング３４は第１袋３６を支持する。この第１袋のうち、切断され且つ密封された上端だけが図１及び図２に示してある。袋３６の開放端は、リング３４を通過し、袋とリングとの間に密封係合が形成されるように、Ｏ−リング３５の設置前にリングの外周に当たるようにその頂部上に折り返されている。リング３４は、好ましくは、ポリエチレン又はこれと等価の材料から形成されているのがよい。袋３６は、丈夫な厚手の不透過性漏れ止めシート、又はポリエチレン又はその等価物等のフィルム材料から形成されている。
【００１３】
リング３４は、垂下した周囲リップ即ちビード３７を有し、このビードの外径は、囲壁リング１２の内径よりも僅かに大きく、そのため、リップ即ちビードは、囲壁リングとの係合時に内方に僅かに変形する。囲壁リング１２の内周は、３８のところが僅かに末広がりになっており、リング３４が囲壁リングを通過するときにリップ即ちビード３７を圧縮する。好ましくは、囲壁リング１２の内面には、リング１２の両端のほぼ中間に環状チャンネル３９が設けられている。チャンネル３９は、袋支持リングが不時に上下に移動しないようにするため、リップ即ちビード３７と係合できる。
【００１４】
再使用可能な剛性プッシャリング４０が設けられており、このリングは、ドラム貯蔵容器１７の開放した頂部を取り囲むビードによってしっかりと支持されている。図２で最もよくわかるように、プッシャリング４０には、ドラムの外周と係合できる垂下リップ４１が設けられている。プッシャリング４０は、更に、袋支持リングの下縁部の環状チャンネル４４と係合できる、上方に延びるリップ４２を有する。
【００１５】
上述の支持リング３４と全ての点で同じ第２の即ち続く袋支持リング３４Ａを、プッシャリング４０上に、その下縁部のチャンネル４４がプッシャリングのリップ４２と係合した状態で着座させる。第２の即ち続く袋４５を、支持リング３４Ａに通し、この支持リングの頂部に折り返し、Ｏ−リング３５で固定することによって支持リング３４Ａに固定する。続く袋４５は、ドラム１７がその最も下の位置にあるときに貯蔵ドラム１７の底からポート１１まで延びるような所定の長さを有し、以下に説明するように、破れることなく捩じることができるようにするのに十分な余分の長さ即ち緩みを備えている。袋の余分の長さは、ドラムが充填後に下げられるまで、ドラムの頂部の近くで折畳まれ、即ち束ねられる。
【００１６】
貯蔵されるべき汚染物質が袋を破るような性質を持つものである場合、望ましくは、剛性の又は半剛性のドラムライナ４６が袋４５内に設けられる。ドラムライナ４６は、好ましくは底部を有する。ドラムライナは、例えば、ポリエチレン又はこれと等価のプラスチック材料から形成できる。
【００１７】
更に、プッシャリング４０の両端のほぼ中間には、外方に延びるストップフランジ即ちリップ４７が設けられている。ドラムアッセンブリを上昇させると、フランジ４７は、囲壁リング１２の最も下の縁部と係合でき、プッシャリング及び袋支持リングの上方への移動を制限する。これが起こったとき、続く袋支持リング３４Ａが前の支持リング３４を移動し、ビード３７を囲壁リング１２の内側に設けられたチャンネル３９と係合させる。
【００１８】
格納容器は、通常は負圧に維持されている。こうした場合には、空の袋４５の両側に作用する圧力をほぼ等しくし、袋が格納容器に吸い込まれないようにするため、ストップフランジ４７の上面には、囲壁リング１２の底リップと係合できる弾性密封リング即ちガスケット５１が設けられている。
【００１９】
次に、図３を参照すると、この図には、本発明による移送システムの構成要素が、移送サイクルの開始時の構造的関係で示してある。格納容器へのポート１１は閉鎖されており、ポートの周囲に対して漏れ止め密封関係のガスケット３２で密封されている。第１の即ち前の袋支持リング３４は、囲壁リング１２の内周に関して漏れ止め密封関係で配置されている。リング３４は、前に充填した貯蔵袋の密封され且つ切断された残余部３６を支持する。充填されるべき新たな貯蔵ドラム１７は、囲壁リング１２の下で、リフトカート２０のエレベータプラットホーム１９に設けられたターンテーブル１８上に正確に支持されている。この状態では、エレベータプラットホームは下げた位置にある。プッシャリング４０がドラム１７の開放した頂部上に支持されている。続く袋即ち交換袋４５が、プッシャリングの上に置かれたリング３４Ａで支持されている。好ましくは、袋４５にはライナ４６が入っている。
【００２０】
次に図４を参照すると、密封カバー駆動装置３１が作動されており、密封カバーがセルプレート１０のポートから持ち上げられている。密封の一体性は、囲壁リング１２に関して漏れ止め密封係合状態に維持された袋の閉鎖端残余部３６によって維持されている。ドラム１７は、ドラム上に支持された袋支持リング３４Ａの上面が、袋残余部３６を支持するリング３４の下面と係合する箇所まで、リフトトラック２０のエレベータプラットホーム１９を作動させることによって持ち上げられている。
【００２１】
次に図５を参照すると、リフトカート２０のエレベータプラットホーム１９を連続的に上昇させることによって、ドラム１７をその最大高さまで持ち上げる。ドラムの頂部がプッシャリング４０に及ぼす力によって、及びプッシャリングが袋支持リング３４Ａに及ぼす力によって、第１の即ち前の袋支持リング３４が囲壁リング１２と係合した状態からポンと外れ、第２の即ち続く袋支持リング３４Ａと切り替わる。リング３４Ａは、リング３４が外れるまでは密封し、移送中に亘って密封の一体性を維持する。ドラム、プッシャリング、及び続く袋支持リングの移動距離は、囲壁リング１２の下縁部と係合するストップフランジ４７によって制限される。この段階で、密封の一体性は、囲壁リング１２の内周と密封漏れ止め係合したフランジ支持リング３４Ａ及びこの支持リングから垂下した端部の閉鎖した袋４５によって維持される。リング３４は、切断され又は破壊され、他の汚染された廃棄物とともに貯蔵するため、袋の残余部３６とともにドラム１７の袋４５内に廃棄される。
【００２２】
次に図６を参照すると、好ましくは、剛性又は半剛性の随意のフィラーリング４８がポートを通して袋４５の頂部に挿入してある。フィラーリング４８は、ポートの周囲と係合する外方に延びる頂フランジによって、ポート内に支持されている。フィラーリングは、異なる環境の間での密封の一体性が、リング３４Ａが不時に外れることによって損なわれることがないようにし、移送される先の尖った又はごつごつした危険物によって袋４５が裂かれたり擦れたりしないように保護する。望ましくは、フィラーリングは、フィラーリングをポート内に配置された一つの位置から移送ポートから外された図７に示す第２位置まで移動するフィラーリング駆動装置５０によって作動されるアーム４９の端部に枢動自在に支持されている。フィラーリング駆動装置５０は、全ての材料に関し、密封カバー駆動装置３１と同様である。
【００２３】
次に、図７を参照すると、処分されるべき危険物でドラム１７を充填した後、駆動装置５０を作動させることによってフィラーリング４８を外し、駆動装置３１を作動させることによって密封カバー２９で閉鎖し、移送ポートの周囲と漏れ止め密封係合させる。
【００２４】
次に図８を参照すると、密封カバー２９によって移送ポートを閉鎖した後、リフトカート２０のエレベータプラットホーム１９を下げる。これを行うとき、袋４５を密封閉鎖できるように引き延ばす。袋は、リング３４Ａから抜けることなく捩じることができるのに十分な緩みを有する。プッシャリング４０は袋支持リング３４Ａから離れる。袋支持リング３４Ａは、囲壁リング１２と密封漏れ止め関係で所定位置に滞まる。
【００２５】
次に、図９を参照すると、ドラム１７は、リフトカート２０のエレベータプラットホーム１９上に支持されたターンテーブル１８上で数回回転させてある。この結果、袋４５の上側の空の部分が捩じれて密封漏れ止めシールが形成され、上袋部分４５Ａを部分的に充填された下袋部分４５ｂから分離する。捩じられたネックを接着テープでクランプし即ち密封し、次いで、捩じられたネックを切断し、漏れ止め密封閉鎖部を袋セグメントの各々に残す。次いで、ドラム１７をリフトトラックで移送箇所から取り出し、プッシャリング４０を取り外し、袋の密封された上端４５ｂをドラム内にしまい込み、ドラムに上カバーを再び配置することによって、ドラムを通常の方法で閉鎖する。充填済みのドラムは、永久貯蔵施設に移送する準備ができている。プッシャリングをドラム上に設置し、好ましくはライナが入った新たな袋をドラム内に設置し、袋支持リングをプッシャリング上に取り付けることによって、新たなドラムを準備する。次いで、このドラムを移送ポートの下の所定位置に置き、移送サイクルを繰り返す。
【００２６】
第２の即ち続く袋支持リング３４Ａが、次の移送サイクルについて、第１の即ち前の袋支持リングになり、新たに設置された袋支持リングが第２の即ち続くリングになる。
【００２７】
本発明の範囲及び精神から逸脱することなく、上文中に説明した本発明の多くの変形及び変更を行うことができるということは明らかである。以上説明した特定の実施例は、単なる例であって、本発明は、添付の特許請求の範囲によってのみ限定される。
【図面の簡単な説明】
【図１】本発明の安全移送システムを構成する構造を移送サイクルの開始時の状態で示す斜視図である。
【図２】格納容器の床と危険物を受入れるための可撓性プラスチック袋との間の密封、及びプッシャリングの袋支持密封リングに対する関係の拡大部分断面図である。
【図３】安全移送プロセスの連続した工程を示す概略図である。
【図４】安全移送プロセスの連続した工程を示す概略図である。
【図５】安全移送プロセスの連続した工程を示す概略図である。
【図６】安全移送プロセスの連続した工程を示す概略図である。
【図７】安全移送プロセスの連続した工程を示す概略図である。
【図８】安全移送プロセスの連続した工程を示す概略図である。
【図９】安全移送プロセスの連続した工程を示す概略図である。
【符号の説明】
１０  セルプレート
１１  ポート開口部
１２  囲壁リング
１４  矩形フレーム
１５  コーナーポスト
１７  ５５ガロンドラム
１８  ターンテーブル
１９  エレベータプラットホーム
２０  リフトカート
２２  整合プレート
２４  耳部
２９  密封カバー
３０  アーム
３１  遠隔制御式密封カバー駆動機構
３２  環状周囲密封リング
３４、３４Ａ  袋支持リング
３５  Ｏ−リング
３６  第１袋
４０  プッシャリング
４１  垂下リップ
４２  リップ
４４  チャンネル
４５  続く袋
４６  ドラムライナ
４７  ストップフランジ
４８  フィラーリング
４９  アーム
５０  フィラーリング駆動装置
【図１】
0003732256.tif 000002
【図２】
0003732256.tif 000003
【図３】
0003732256.tif 000004
【図４】
0003732256.tif 000005
【図５】
0003732256.tif 000006
【図６】
0003732256.tif 000007
【図７】
0003732256.tif 000008
【図８】
0003732256.tif 000009
【図９】
0003732256.tif 000010